(57)【要約】    【課題】  露呈位置において発光部の導電性外装部材に静電気等による放電が外部から与えられても誤作動しないようにした発光装置を提供する。    【解決手段】  ケースカバー９に静電気等によって外部から電荷が加えられた場合に、その電荷は、弾性部材１８及び支持部材１５，１６及びベース板２２をそれぞれ介して、カメラのアースに逃される。【選択図】      図５
2005181888.tif 000002
【特許請求の範囲】
【請求項１】
発光部が機器に収納する収納位置と前記機器から突出する露呈位置とに移動可能に取り付けられ且つ前記発光部を覆う導電性外装部材が設けられた発光装置であって、
前記導電性外装部材を前記機器のアースに電気的に接続する接続手段を設けたことを特徴とする発光装置。
【請求項２】
前記導電性外装部材は、前記発光部を保持する保持部材を覆うものであり、
前記保持部材を前記機器に支持するための本体枠部材と、
前記本体枠部材と前記保持部材とを前記機器に回転可能に支持するための支持部材と、
前記支持部材と前記保持部材との間に配設された導電性を有する弾性部材とを設け、
前記弾性部材の一端が前記導電性外装部材に接触していることで前記接続手段が構成されていることを特徴とする請求項１に記載の発光装置。
【請求項３】
前記導電性外装部材は、導電性プラスティックにより形成されていることを特徴とする請求項１または２に記載の発光装置。
【請求項４】
前記機器は、光学機器であることを特徴とする請求項２に記載の発光装置。
【請求項５】
前記発光装置は、ストロボ装置あることを特徴とする請求項１乃至４のいずれかに記載の発光装置。
【発明の詳細な説明】
【技術分野】
【０００１】
本発明は、例えば、カメラ等の機器に取り付けられるストロボ装置等の発光装置に関する。
【背景技術】
【０００２】
近年、デジタルカメラ等においては、高倍率ズームレンズ化により、ズーミングをした時に突出した鏡筒でストロボ光がケラレ無いように、ポップアップ式のストロボ装置を多く採用している。
【０００３】
その中で、デザイン上の高品位に差別化を図るために、ストロボ装置のストロボ発光部が収納位置に収納された状態において、外部に露出されるストロボ発光部のケース表面には、カメラ本体の外装部材と同質の金属製の外装部材（アルミニューム等）が設けられている（例えば、特許文献１参照）。
【特許文献１】特開２００２−１９６３９９号公報
【発明の開示】
【発明が解決しようとする課題】
【０００４】
上述した従来のポップアップ式のストロボ装置を備えたカメラでは、配置スペースの関係から、ストロボ装置のストロボ放電管とストロボ回路とを近傍に配置できない等の制約があり、トリガ信号無しにストロボ放電管とストロボ回路との隙間を介してストロボ放電管のトリガ極に電圧が印加され、ストロボ放電管が発光する等の不測の事態が生じる虞がある。
【０００５】
このため、ストロボ放電管、反射笠及びストロボ用レンズ等を保持するストロボ発光部のケースは、全体がプラスティック等の非導電性材料で形成されるのが一般的である。
【０００６】
そして、このようにストロボ発光部のケースが非導電性材料で形成されたカメラにおいて、金属製外装部材を採用した場合には、特に、ストロボ発光部がポップアップされて露呈位置に設定されている場合において、ストロボ発光部の金属製外装部材はカメラ本体と離れてしまうため、その金属外装部材に静電気等による放電が外部から与えられると、ストロボ放電管が発光したり、金属外装部材とカメラ本体との間にスパークが生じてカメラが暴走する等の事故が起こる確率が高いという問題があった。
【０００７】
このような現象は、特にストロボ発光部が大きくスイングアップして上方に移動するタイプのポップアップ式ストロボ装置を備えたカメラにおいて顕著に現れる。
【０００８】
また、上述の問題を改善する〔特許文献１〕では、非導電性材料で形成されたストロボ発光部のケースに孔または溝を設け、該孔または溝を通じて導電体（バネ等）の一部を金属製外装部材の裏面側に当接させると共に、導電体の他の一部を導電性プラスティックの外装部材の側面に擦らせて、カメラ本体にアースを取っている構成であるので、ストロボ装置の昇降等の動作において、導電体が外装部材の側面に摺動しているので、ストロボ装置の昇降時間にばらつきが生じ易く、耐久等でストロボ動作の不具合や、ゴミ、埃等で接触抵抗が変化し易い。
【０００９】
また、外装部材に摺動傷が付き易いため、準外観面（収納時には見えない）ではあるが、ストロボ装置の露呈位置では表出して見えるので、外観上の品位が悪い等の問題がある。
【００１０】
本発明は、このような従来技術の有する問題点に鑑みてなされたもので、露呈位置において発光部の導電性外装部材に静電気等による放電が外部から与えられても誤作動しないようにした発光装置を提供することを目的とする。
【課題を解決するための手段】
【００１１】
上記目的を達成するために、本発明は、発光部が機器に収納する収納位置と前記機器から突出する露呈位置とに移動可能に取り付けられ且つ前記発光部を覆う導電性外装部材が設けられた発光装置であって、前記導電性外装部材を前記機器のアースに電気的に接続する接続手段を設けたことを特徴とする発光装置を提供する。
【発明の効果】
【００１２】
発光部の導電性外装部材を機器のアースに電気的に接続する接続手段を設けたため、露呈位置において前記導電性外装部材に静電気等による放電が外部から与えられても、その電荷を機器のアースに安全に逃がすことができ、発光装置及び機器の誤作動を確実に防止することができる。
【発明を実施するための最良の形態】
【００１３】
本発明の発光装置の好ましい実施形態について、図面を参照しながら説明する。
【００１４】
［第１の実施形態］
まず、本発明の第１の実施形態について、図１乃至図１０を用いて説明する。
【００１５】
図１は、本発明の第１の実施形態に係る発光装置であるストロボ装置を備えた機器である電子スチルカメラ（以下、単にカメラと記述する）の外観構成を示す斜視図であって、ストロボ発光部が収納位置に収納された状態を示している。
【００１６】
図２は、本発明の第１の実施形態に係る発光装置であるストロボ装置を備えた機器である電子スチルカメラの外観構成を示す斜視図であって、ストロボ発光部が露呈位置にポップアップされた状態を示している。
【００１７】
図１及び図２において、１はカメラ、２はレンズ鏡筒、３はファインダ、４は電源ボタン、５はレリーズボタン、６は本実施形態に係る発光装置であるポップアップ式のストロボ装置である。カメラ１の図示しない背面部には、ファインダ接眼部や液晶表示パネル、操作キー等が配設されている。
【００１８】
尚、ストロボ装置６の収納位置と露呈位置との切り替えについては、例えば、カメラ１の上面或いは側面に配設された所定のポップアップボタン（不図示）を押すと、ストロボ装置６が図１の収納位置から図２の露呈位置にポップアップし、図２の露呈位置に設定されているストロボ装置６の上面をカメラ１内に収納する方向に手で押し込むと、ストロボ装置６の前面側がカメラ１内に収納されて、ストロボ装置６が図２の収納位置でロックされるようになっている。
【００１９】
図３は、本実施形態に係るストロボ装置６の分解斜視図、図４は、本実施形態に係るストロボ装置６の内部構成を示す断面図である。
【００２０】
図３において、７はプラスティック等の非導電性材料で形成された下ケースで、孔７ａ、長孔７ｂ、ボス７ｃ、孔７ｄ及び爪７ｅが、それぞれ形成されている。８はプラスティック等の非導電性材料で形成された上ケースで、孔８ａが形成されている。９は導電性を有する金属から成るケースカバー（外装部材）で、孔９ａ，９ｂが形成されている。１０Ａは発光部で、周知のフレネルパネル１０、反射傘１１、放電管１２、放電管ゴム１３及びトリガーコイル１４を備えている。１５，１６は段ビス形状の支持部材、１７はガイド部材、１８は弾性部材、１９はバネ、２０はロック板である。２１は導電性を有する金属から成るベース部材（外装部材）で、孔２１ａ，２１ｂ，２１ｃ，２１ｄが形成されている。２２はベース板で、タップ孔２２ａ，２２ｂが形成されている。
【００２１】
２９Ａは緊定ユニットで、ストロボ装置６を収納位置で係止するためのものである。この緊定ユニット２９Ａは、緊定ベース２３、緊定バネ２４、緊定レバー２５、解除レバー２６、解除バネ２７、緊定軸２８、プランジャー２９及びＥリング３０を備えている。緊定ベース２３には、軸２３ａがカシメ等の固定手段により固定されている。また、緊定レバー２５には、メタル２５ａがカシメ等の固定手段により固定されている。更に、解除レバー２６には、メタル２６ａがカシメ等の固定手段により固定されている。
【００２２】
発光部１０Ａは，下ケース７と上ケース８とによって被覆されると共に、これら両ケース７，８内の所定位置に接着等の固定手段で保持されている。また、下ケース７上に形成された爪７eを、上ケース８上に形成された孔８ａにパッチン等の係止手段により係止することで、下ケース７と上ケース８とが互いに保持固定されている。また、下ケース７には、ストロボ装置６の収納位置で該ストロボ装置６を係止するためのロック板２０が、不図示のビス等の係止手段により係止される。
【００２３】
次に、ストロボ装置６のカメラ１に対しての回転機構部について、図５を用いて説明する。
【００２４】
ベース部材２１にベース板２２が不図示のビス等の係止手段により係止される。ベース板２２は、不図示の取付手段によりカメラ本体１のアース部取り付けられている。ベース部材２１上に形成されている孔２１ａと下ケース７上に形成されている孔７ａとを合わせ、また、この孔７ａの周囲の座部に弾性部材１８を置いた後、支持部材１６を弾性部材１８と孔７ａ、孔２１ａのそれぞれに通して、ベース板２２に形成されているタップ孔２２ａに係止する。
【００２５】
また、その対称位置にある下ケース７上に形成されている孔７ａの周囲の座部（不図示）にバネ１９を置いた後、支持部材１５を孔７ａ、孔２１ａのそれぞれに通して、ベース板２２に形成されているタップ孔２２ａに係止する。
【００２６】
更に、下ケース７上に形成されている長孔７ｂとベース部材２１上に形成されている孔２１ｂとにガイド部材１７をそれぞれ通して、ベース板２２に形成されているタップ孔２２ｂに係止する。
【００２７】
これにより、下ケース７が支持部材１５，１６を回転中心として回転可能となる。
【００２８】
尚、バネ１９の付勢力により、ストロボ装置６がポップアップされている方向（図８の矢印Ｂ方向）に付勢されて、下ケース７上に形成されている長孔７ｂの一端とガイド部材１７とが突き当たり、ストロボ装置６が図２に示すような露呈位置となる。
【００２９】
また、その組み上がった状態からケースカバー９上に形成された孔９ａ，９ｂが、下ケース７上に形成されるボス７ｃ、孔７ｄにパッチン及びビス等の係止手段により係止されている。
【００３０】
また、図５に示す様に、ケースカバー９と弾性部材１８の一端は、互いに当接している。
【００３１】
この構造により、ケースカバー９に静電気等によって外部から電荷が加えられた場合に、その電荷は、弾性部材１８及び支持部材１６及びベース板２２をそれぞれ介して、カメラ１のアースに逃されるようになっている。
【００３２】
また、本実施形態では、弾性部材１８はバネ性のある金属板で構成したが、これに限られるものではなく、弾性部材１８は導体であれば、どの様な形状、材質でも同様の効果が得られる。
【００３３】
また、本実施形態では、支持部材１６と当接している弾性部材１８は、その全面で支持部材１６と接触しているが、その接触状態を安定させるために、弾性部材１８の面を多点接触（菊座形状等）形状にしても同様の効果が得られる。
【００３４】
また、本実施形態では、ケースカバー９は導電性金属により構成したが、これに限られるものではなく、導電性プラスティック等で構成しても同様な効果が得られる。
【００３５】
次に、ストロボ収納位置でストロボ装置６を係止するための緊定ユニット２９Ａについて説明する。
【００３６】
緊定ベース２３は、緊定ユニット２９Ａの各部材を保持するためのものである。プランジャー２９は、緊定ベース２３に不図示のビス等の係止手段により係止されている。プランジャー２９は鉄片２９ａを有しており、不図示のコイルが無通電状態にある時は、不図示のマグネットに発生する磁気吸引力によって鉄片２９ａが吸着され、前記コイルが通電状態にされると該コイルに発生する電磁力により前記マグネットの磁気力が消滅し、鉄片２９ａが押し出される構成になっている。
【００３７】
緊定レバー２５は、ストロボ装置６を収納位置で保持するためのものである。緊定レバー２５と緊定ベース２３との間には、ストロボ装置６を収納位置に保持するための緊定バネ２４が掛け渡されている。解除レバー２６は、緊定レバー２５を解除するにために関与するものである。緊定軸２８は、ストロボ装置６のアップダウン動作に応じて解除レバー２６を回動させるものである。解除バネ２７は、解除レバー２６に組み込まれ、その一端がプランジャー２９の鉄片２９ａに設けられた不図示の切り欠き部に通されている。
【００３８】
上述した各構成部品を組み合わせた後に、軸２３ａにＥリング３０で係止する。
【００３９】
これらの構成上のメリットとしては、メタル２５ａは軸２３ａに対して嵌合し、メタル２６ａはメタル２５ａに嵌合しており、全ての構成部材を同一軸上に積み重ねて嵌合させることにより、スペース効率の改善を図っている。更に、軸２３ａ及びメタル２５ａには、その嵌合面部に複数の溝形状が形成されており、これにより接触面積を減少させ、緊定ユニット２９Ａの作動状態を安定させている。
【００４０】
そして、これらの緊定ユニット２９Ａをベース部材２１に組み込む際に、ベース部材２１に形成されている孔２１ｃに緊定軸２８を通し、また、ベース部材２１に形成されている孔２１ｄに緊定レバー２５を通して、不図示のビス等の係止手段によりベース板２２に緊定ユニット２９Ａを係止する。
【００４１】
次に、ストロボ装置６のポップアップ時の動作を、図１及び図２、図６〜図１０を用いて説明する。
【００４２】
図６は、本実施形態に係るストロボ装置６の右側面図であって、ストロボ装置６が収納位置に収納されている状態を示している。
【００４３】
図７は、本実施形態に係るストロボ装置６の右側面図であって、ストロボ装置６が露呈位置にポップアップされている状態を示している。
【００４４】
図８は、本実施形態に係るストロボ装置６の左側面図であって、ストロボ装置６が収納位置に収納されている状態を示している。
【００４５】
図９は、本実施形態に係るストロボ装置６の左側面図であって、ストロボ装置６が収納位置に収納されている状態で、その収納状態のロックが解除された状態を示している。
【００４６】
図１０は、本実施形態に係るストロボ装置６の左側面図であって、ストロボ装置６が露呈位置にポップアップされている状態を示している。
【００４７】
まず、図１、図６及び図８に示すストロボ装置６の収納状態では、緊定バネ２４が反時計回り方向（図６の矢印Ａ方向）に付勢されているので、緊定レバー２５がロック板２０に引っ掛かってロック状態になっている。
【００４８】
また、プランジャー２９には、不図示の電気回路からの通電が行われていない状態であるため、マグネットに発生する磁気吸引力によって鉄片２９ａが吸着されている。
【００４９】
この時、解除バネ２７は、緊定軸２８が下ケース７に当接してバネチャージ状態となっているが、解除バネ２７のバネ力はプランジャー２９の吸引力よりも弱く設定されている。このような解除バネ２７のバネ力設定の理由は、プランジャー２９の吸引力より解除バネ２７のバネ力が勝ってしまった場合、不意の振動等でプランジャー２９の鉄片２９ａが抜け出て、緊定レバー２５が押し出されてストロボ装置６がポップアップして、鉄片２９aがプランジャー２９の吸引力で戻らなくなって、ストロボ装置６がダウンできない状況になるためである。
【００５０】
次に、図１、図６及び図８に示す収納状態から不図示の電気回路よりプランジャー２９に通電されることで、該プランジャー２９のコイルに発生する電磁力によりマグネットの磁気力が消滅し、吸引力が無くなった鉄片２９ａを解除バネ２７が図９の矢印Ｃ方向に押し出し、緊定レバー２５を時計回り方向へ回動させるため、緊定レバー２５がロック板２０から解除されて、ストロボ装置６がポップアップし、図２、図７及び図１０に示す状態になる。
【００５１】
その動作と連動して解除レバー２６が解除バネ２７のバネ力によって緊定軸２８を押し上げる。この時、プランジャー２９に通電するパルス時間は数ｍｓなので、緊定レバー２５を解除した後は、プランジャー２９のマグネットに発生する磁気吸引力によって鉄片２９ａが戻される。また、この時、緊定レバー２５は、緊定バネ２４のバネ力により図６の矢印Ａ方向に不勢される。
【００５２】
次に、ストロボ装置６のダウン時の動作を図１及び図２、図６〜図１０を用いて説明する。
【００５３】
ストロボ装置６をダウンさせるには、図２、図７及び図１０に示すポップアップ状態にあるケースカバー９を緊定バネ２４のバネ力に抗して、手動操作にて図１に示す収納位置まで押し下げる。この時、緊定レバー２５がロック板２０に当接しながら回動し、収納位置では、緊定レバー２５が緊定バネ２４の付勢によりロック板２０にロックされる（図６の状態）。また、その動作に連動して、緊定軸２８が下ケース７に当接しながら押し下げられることで、解除レバー２６が時計回り方向に回動して解除バネ２７がバネ力をチャージする方向に付勢される。これにより、ストロボ装置６は、図１、図６及び図８に示すように収納状態になる。
【００５４】
以上のように、本実施形態に係るストロボ装置６によれば、ケースカバー９に静電気等によって外部から電荷が加えられた場合に、その電荷は、弾性部材１８及び支持部材１５，１６及びベース板２２をそれぞれ介して、カメラ１のアースに逃されるため、ケースカバー９に静電気等による放電が外部から与えられても、その電荷をカメラ本体１のアースに安全に逃がすことができ、ストロボ装置６及びカメラ１の誤作動を確実に防止することができる。
【００５５】
また、発光部１０Ａの回転軸である支持部材１５，１６を通してケースカバー９とカメラ１のアースとの電気的接続を行っているため、ストロボ装置６の作動力が安定し易いので、ストロボ装置６及びカメラ１の動作不良等を確実に防止することができる。
【００５６】
以上が本発明の実施形態の説明であるが、本発明は、上述した実施形態における電子スチルカメラに限られるものではなく、１眼レフカメラ、レンズシャッタカメラ、ビデオカメラ、デジタルカメラ等種々の形態のカメラ、更には、カメラ以外の光学機器やその他の装置、それらカメラや光学機器やその他の装置に適用される装置、または、これらを構成する要素に対しても適用できるものである。
【００５７】
また、本発明は、これら実施形態に限られるものではなく、特許請求の範囲で示した機能、または実施形態の構成が持つ機能を達成できる構成であれば、どのようなものであっても適用可能である。
【図面の簡単な説明】
【００５８】
【図１】本発明の第１の実施形態に係る発光装置を具備した電子スチルカメラの発光部が収納位置に収納された状態を示す斜視図である。
【図２】本発明の第１の実施形態に係る発光装置を具備した電子スチルカメラの発光部が露呈位置にポップアップされた状態を示す斜視図である。
【図３】本発明の第１の実施形態に係る発光装置における発光部の構成を示す右側面断面図である。
【図４】本発明の第１の実施形態に係る発光装置のユニットの左側面図であって、ストロボ発光部が収納位置に収納された状態を示す図である。
【図５】本発明の第１の実施形態に係る発光装置における発光部の回転支持部の構成を示す正面断面図である。
【図６】本発明の第１の実施形態に係る発光装置における発光部が収納位置に収納された状態を示す右側面図である。
【図７】本発明の第１の実施形態に係る発光装置における発光部が露呈位置にポップアップされた状態を示す右側面図である。
【図８】本発明の第１の実施形態に係る発光装置における発光部が収納位置に収納された状態でのロック状態を示す左側面図である。
【図９】本発明の第１の実施形態に係る発光装置における発光部が収納位置に収納された状態でのロック解除状態を示す左側面図である。
【図１０】本発明の第１の実施形態に係る発光装置における発光部が露呈位置にポップアップされている状態を示す左側面図である。
【符号の説明】
【００５９】
１      電子スチルカメラ（機器）
２      鏡筒
３      ファインダ
４      電源ボタン
５      レリーズボタン
６      ストロボ装置（発光装置）
７      下ケース
８      上ケース
９      ケースカバー（外装部材）
１０Ａ  発光部
１５    支持部材
１６    支持部材
１８    弾性部材
２１    ベース部材
２２    ベース板
２９Ａ  緊定ユニット
【図１】
2005181888.tif 000003
【図２】
2005181888.tif 000004
【図３】
2005181888.tif 000005
【図４】
2005181888.tif 000006
【図５】
2005181888.tif 000007
【図６】
2005181888.tif 000008
【図７】
2005181888.tif 000009
【図８】
2005181888.tif 000010
【図９】
2005181888.tif 000011
【図１０】
2005181888.tif 000012